(57)【特許請求の範囲】
【請求項１】
前、後両側のサイドドアーもしくは前側のサイドドアと後ろ側のサイドウィンドのそれぞれのドアサッシュに、対応端が接近するようにして、後付けで取り付けられるようにしたサイドバイザーの取り付け構造において、対応端がフランジを備えずカットされた形状の前、後のサイドバイザーと、サイドバイザーの対応端の嵌入溝が形成された取り付け部材とからなり、この嵌入溝に前記対応端の辺縁が嵌入固定されており、嵌入溝は、前後一対の、基体の表面から互いに平行に立ち上がった隆条によって形成されていることを特徴とするサイドバイザーの取り付け構造。
【請求項２】
嵌入溝は、基体の辺縁に偏って形成されている請求項１記載のサイドバイザーの取り付け構造。
【請求項３】
取り付け部材の裏面には離型紙を備えた両面接着テープが取り付けられている請求項１記載のサイドバイザーの取り付け構造。
【発明の詳細な説明】
【０００１】
【発明の属する技術分野】
本発明は、自動車用のサイドバイザー、更に詳しくは、前側のサイドドアー用と後ろ側のサイドドアもしくはサイドウィンド用とがあり、これら両側のサイドドアーもしくは前側のサイドドアと後ろ側のサイドウィンドのそれぞれのドアサッシュに、対応端が接近するようにして、後付けで取り付けられるように構成されたれサイドバイザーの取り付け構造に関する。
【０００２】
【従来の技術】
この種サイドバイザーは、図７に示されるように、前後のサイドバイザー０１，０２の対応端０３，０４は、それぞれ前、後のサイドドア０５，０６の対応するドアサッシュ０７，０８上に両面接着テープ０９，０１０を介して貼着される。具体的には、図示されるように、前、後のサイドバイザーの対応端０３，０４には、それぞれ外向きのフランジ０１１，０１２が一体に設けられていて、このフランジ０１１，０１２の裏面に取り付けられた前記両面接着テープ０９，０１０を介してそれぞれドアサッシュ０７，０８上に貼着されている。
【０００３】
【発明が解決しようとする課題】
ところで、従来のこの種のサイドバイザーの取り付け構造は、前、後のサイドバイザー０１，０２をドアサッシュ０７，０８に取り付けるにあたって、それらの対応端０３，０４に設けられた外向きのフランジ０１１，０１２を採用しているので、対応端０３，０４の間には、図８に示されるように、広い空隙Ｄ．Ｓが形成されることになる。その結果、
走行時には、前側のサイドバイザー０１上を流下してくる空気の流れが、この空隙Ｄ．Ｓで攪乱されて、大きな騒音を発生して、大変耳障りであった。また、前、後のサイドバイザー０１，０２の一体感が削がれ、外観処理上も好ましいものではなかった。
【０００４】
この欠点を改善するために、本発明者は種々検討を重ねた結果、騒音の発生は、前、後のサイドバイザーの対応端に生じる空隙であり、この空隙を可及的に減少できれば、騒音の発生を阻止できることを知得し、更に検討を重ねた。その結果、図９に示されるような改良された構造を発案するに至った。
この改良された構造では、対応端０３，０４に設けられるフランジ０１１，０１２を、外側ではなく、内側に向けて設ける手段を採用した。その結果、対応端０３，０４を可及的に接近させて取り付けることができるようになった。図示された形状は、対応端０３，０４が傾斜面に形成されたサイドバイザーが採用されているので、図上、上方ほど空隙Ｄ．Ｓが広く見られるが、図中想像線で示されるよう、ドアサッシュ０７，０８の表面に対して直角に立ち上がるような対応端０３，０４とすれば、空隙Ｄ．Ｓは、全くなくなる。
【０００５】
しかしながら、この改良された取り付け構造は、対応端０３，０４のフランジ０１１，０１２を内側に向けて設けるために、図７、図８に示されるような外向きに設けるものと違って、金型が大変複雑で、特殊な形状、構造となってしまい、製造工程も複雑になるという大きな問題点のあることが分かった。したがって、この手段では、製造コストを大幅に高騰させてしまい、廉価に提供することができない。
【０００６】
そこで、本発明者は、以上の従来の取り付け構造（図７，８）並びに改良された取り付け構造（図９）を更に深く検討した結果、対応端に設けられるフランジが、空隙を現出させ、また、製造コストの高騰化を招いていることに着目し、サイドバイザーをドアサッシュに取り付ける手段として、このようなフランジを採用しない全く新たな手段を得るべく種々検討を重ねた。その結果、対応端の空隙は、基本的には改善された取り付け構造（図９）と同等に、可及的に少なくすることができ、併せて製造コストの低廉化も図れる手段を開発したので、ここに提案する。
したがって、本発明は、対応端をドアサッシュへ取り付けるにあたって、フランジを用いないで行えるようにすることにある。
【０００７】
【課題を解決するための手段】
上記の技術的な課題を達成するために、本発明が講じた技術的手段は次のとおりである。
すなわち、本発明の請求項１記載のサイドバイザーの取り付け構造は、前、後両側のサイドドアーもしくは前側のサイドドアと後ろ側のサイドウィンドのそれぞれのドアサッシュに、対応端が接近するようにして、後付けで取り付けられるようにしたサイドバイザーの取り付け構造において、対応端がフランジを備えずカットされた形状の前、後のサイドバイザーと、サイドバイザーの対応端の嵌入溝が形成された取り付け部材とからなり、この嵌入溝に前記対応端の辺縁が嵌入固定されており、嵌入溝は、前後一対の、基体の表面から互いに平行に立ち上がった隆条によって形成されていることに特徴がある。
【０００８】
【作用】
上記の構成にかかるサイドバイザーの取り付け構造によると、フランジを備えずカットされた形状の対応端の辺縁の肉厚よりもやや幅のある基体をドアサッシュに取り付け、この基体に設けられている嵌入溝に、この対応端の辺縁を嵌入固着することによって、ドアサッシュに対するサイドバイザーの対応端の取り付けが行われる。
【０００９】
【発明の効果】
このように、本発明の請求項１記載のサイドバイザーの取り付け構造は、サイドバイザーの対応端の辺縁よりやや幅のある基体が採用され、しかもこの基体の嵌入溝に対応端の辺縁を嵌入固定するから、この基体同士を限りなく近接させて配置できる。つまりは、嵌入溝がほとんど前後のドアサッシュあるいは前のドアサッシュと後方のサイドウィンドの窓サッシュの突き合わせ部位上にあるようにして互いに近接させて、ドアサッシの上に取り付けることができる。したがって、従来の外側に向かって張り出すフランジを介した取り付ける手段に比べて、対応端の間に形成される空隙を可及的に少なく、もしくはほとんどなくすことができる。その結果、走行時の騒音発生源がなくなり、静粛な走行を可能にする。併せて、サイドバイザーは、カットされてフランジを備えない形状であるから、その製造に当たって、大変高価で、複雑な構造を備えた金型を全く必要とせず、したがって、製造コストを大幅に低廉化でき、廉価に提供できるに至った。また、前、後のサイドバイザーの対応端の間隔がほとんどなくなるので、前、後のサイドバイザーの一体感が大幅に向上され、外観処理上も大変好ましい結果を得ることができる。
【００１０】
また、請求項１記載のように、嵌入溝が、前後一対の、基体の表面から互いに平行に立ち上がった隆条によって形成されているのが望ましい。
引き抜きや、型押さえ、更には切削などの簡便な手段で取り付け部材を製造でき、一層廉価に提供できるからである。
【００１１】
また、請求項２記載のように、嵌入溝は、基体の辺縁に偏って形成されているのが望ましい。
図１、図５に示されるように、基体の嵌入溝同志を、この嵌入溝の基体の辺縁に偏った側の壁のほとんど２倍の幅分程度にまで近接でき、対応端に形成される空隙をほとんどなくすことができるからである。
【００１２】
更に、請求項３記載のように、取り付け部材の裏面には離型紙を備えた両面接着テープが取り付けられているのが望ましい。
取り付け部材のドアサッシュへの取り付け、ひいてはサイドバイザーの取り付け作業が大変簡便になるからである。
【００１３】
【発明の実施の形態】
以下、本発明の実施の形態を図面に基づいて説明する。
図１〜図５は本発明のサイドバイザーの取り付け構造の一実施の形態を示している。
【００１４】
図１並びに図３〜５において、１は自動車用のサイドバイザーで、アクリル樹脂などの合成樹脂、又はステンレスやアルミなどの金属を素材にして形成されている。このサイドバイザーは、図示されるように、前側のサイドドア２と後ろ側のサイドドア３のそれぞれの上部ドアサッシュ４，５に、例えば公知の両面接着テープや適宜取り付け具（図外）を介して取り付けられる。これら前方のサイドバイザー１Ａと後方の後のサイドバイザー１Ｂとは、対応端６，７が近接するように取り付けられている。そして、これら前後のサイドバイザー１Ａ，１Ｂの対応端６，７は、フランジを備えることなくカットされた形状の辺縁８，９を備えている。
図中１０，１１はそれぞれこれら前後のサイドバイザー１Ａ，１Ｂの上縁から外方に向かって一体に突設されたフランジ、また、１０Ａ，１０Ｂは庇である。前記対応端６，７は、これらの庇１０Ａ，１０Ｂの前、後端からそれぞれ下方に一体に延設された壁部分である。
【００１５】
各図中、１２は取り付け部材である。この取り付け部材１２は、図２に示されるように、縦方向に長い基体１３と、その表面側で、幅方向一端側に偏らせて、左右所定の間隔を開けて、互いに平行な一対の隆条１４が一体に立ち上げられ、両隆条１４の間に嵌入溝１５が形成されている。この嵌入溝１５の幅、つまりは両隆条１４の内法間の寸法Ｌは、サイドバイザー１Ａ，１Ｂの対応端６，７の辺縁８，９の肉厚にほぼ等しい寸法設定されている。また、基体１３の裏面には離型紙１６を備えた両面接着テープ１７が貼着されている。更に、この取り付け部材１２は、天然、合成各種のゴム、ＡＢＳ樹脂などを素材にして、押し出し成形や引き抜き成形、更には圧縮成形など適宜の手段によって形成される。
【００１６】
このように構成された取り付け部材１２は、図１、図４、図５に示されるように、前側のサイドドア３の後方ドアサッシュ１８上に、また、後ろ側のサイドドア４の前方のドアサッシュ１９上に、それぞれ両面接着テープ１７（図５）を介して貼着される。この取り付け部材１２の貼着が終わったら、図４に示されるように、前後のサイドバイザー１Ａ，１Ｂの対応端６，７をこの取り付け部材１２の嵌入溝１５に嵌入させながら、それぞれのフランジ１０，１１を、図外両面接着テープを介して上部のドアサッシュ４，５に貼着させて、サイドバイザーの取付けを完了する。対応端６，７は嵌入溝１５に対して適宜接着剤などを用いて固定される。
【００１７】
このとき、図４に示されるように、前側のサイドドア３の後方のドアサッシュ１８上に貼着される取り付け部材１２Ａは、その嵌入溝１５が、このドアサッシュ１８の後方辺縁１８Ａ側に位置するように貼着される。また、後ろ側のサイドドア４の前方のドアサッシュ１９上に貼着される取り付け部材１２Ｂは、その嵌入溝１５がこのドアサッシュ１９の前方辺縁１９Ａ側に位置するように貼着される。このように、嵌入溝１５を可及的にドアサッシュの辺縁側に寄せることによって、両嵌入溝１５間の間隔を可及的に少なくでき、ひいては、サイドバイザー１の対応端６，７の間に形成される空隙をほとんどなくすことができる。
【００１８】
つまり、対応端６，７の間隔は、嵌入溝１５を形成する隆条１４の２枚分とほぼ同等の間隔まで近接させることができ、図７や図８に示される従来構造と比べて、その差は歴然としていて、走行時の騒音を可及的に少なくできる利点がある。併せて、対応端６，７はカットされていて、フランジを備えない形状であるから、図９に示される対応端０３，０４に内向きのフランジ０１１，０１２を備える改良例に比べても、まず第１に金型の構造を格段に簡単にでき、しかも製造工程の簡素化を図れるので、トータルとしての製造コストを大幅に低廉化でき、廉価に提供できる利点がある。しかも、前後のサイドバイザー１Ａ，１Ｂの対応端６，７の間の間隔がほとんどなくなるので、前後のサイドバイザーの一体感が大幅に向上され、外観処理上も大変好ましい結果を得ることができる。
【００１９】
図６に示される構造は、取り付け部材１２の変形例を示していて、所定の肉厚を備えた基体１２の表面側で、幅方向一端側に偏らせて、所定幅の嵌入溝１５が穿たれている。この嵌入溝１５の幅Ｌは、サイドバイザー１Ａ，１Ｂの対応端６，７の辺縁８，９の肉厚にほぼ等しい寸法設定されている。また、基体１３の裏面には離型紙１６を備えた両面接着テープ１７が貼着されている。
この構成によれば、取り付け部材１２を製造するための金型そのものの形状がより単純になって、トータルの製造コストを更に低廉化できる。併せて、取り付け部材１２の全体の肉厚が厚くなるから、対応端６，７の取り付け強度を一層向上できる。
【００２０】
なお、図１、図３〜５において、自動車としてセダンタイプが例示されているが、必ずしもこのタイプに限定されるものでないことは、容易に理解されるところである。例えばクーペタイプであって、後部シート側のサイドドアにドアサッシュが設けられている形式のものにも適用できる。もちろんワゴンタイプの自動車などにも適用できることは言うまでもない。
【図面の簡単な説明】
【図１】  本発明に係るサイドバイザーの取り付け構造の実施の形態を示す要部の外観図である。
【図２】  本発明に係るサイドバイザーの取付構造に適用される取り付け部材の外観図である。
【図３】  サイドバイザーの全体を示す正面図である。
【図４】  サイドバイザーの取り付け状態を示す説明図である。
【図５】  要部の拡大断面図である。
【図６】  本発明に係るサイドバイザーの取り付け構造に適用される取り付け部材の変形例を示した外観図である。
【図７】  従来の取り付け構造を示す要部の外観図説明である。
【図８】  同要部の拡大断面図である。
【図９】  従来の改良された取り付け構造を示す要部の拡大断面図である。
【符号の説明】
１…サイドバイザー、１Ａ…前方のサイドバイザー、１Ｂ…後方のサイドバイザー、２…前側のサイドドア、３…後ろ側のサイドドア、６…対応端、７…対応端、８…辺縁、９…辺縁、１２…取り付け部材、１２Ａ…取り付け部材、１２Ｂ…取り付け部材、１３…基体、１４…隆条、１５…嵌入溝、１８…後方のドアサッシュ、１９…前方のドアサッシュ。
【図１】
0004386542.tif 000002
【図２】
0004386542.tif 000003
【図３】
0004386542.tif 000004
【図４】
0004386542.tif 000005
【図５】
0004386542.tif 000006
【図６】
0004386542.tif 000007
【図７】
0004386542.tif 000008
【図８】
0004386542.tif 000009
【図９】
0004386542.tif 000010